(57)【特許請求の範囲】
【請求項１】
車両にラジエータを配設するとともに、このラジエータのラジエータキャップの高さ位置よりもフルレベル水位が大なる高さ位置となるようにリザーブタンクを配設し、このリザーブタンクと前記ラジエータとを連絡するラジエータのリザーブタンク連通路において、このリザーブタンク連通路は前記ラジエータに形成したオーバフローパイプを有し、このオーバフローパイプの前記ラジエータ側の端部に小径部を形成し、この小径部より前記ラジエータ側に位置する傘部と、前記オーバフローパイプ内に位置する大径部と、前記傘部と前記大径部とを連絡する中央小径部とを有する逆止弁を設け、前記ラジエータキャップを取り外した状態で前記リザーブタンク側からの水圧によって前記逆止弁を押圧して前記リザーブタンクから前記ラジエータへの冷却水の逆流を防止するとともに、前記ラジエータキャップにはこのラジエータキャップの装着時に前記傘部を押圧し、前記逆止弁の逆止機能をキャンセルし双方の流れを可能とする逆止機能キャンセル手段を設けたことを特徴とするラジエータのリザーブタンク連通路。
【請求項２】
車両にラジエータを配設するとともに、このラジエータのラジエータキャップの高さ位置よりもフルレベル水位が大なる高さ位置となるようにリザーブタンクを配設し、このリザーブタンクと前記ラジエータとを連絡するラジエータのリザーブタンク連通路において、このリザーブタンク連通路に前記ラジエータキャップを取り外した状態で前記リザーブタンクから前記ラジエータへの冷却水の逆流を防止する逆止弁を設けるとともに、前記ラジエータキャップにはこのラジエータキャップの装着時に前記逆止弁の逆止機能をキャンセルし双方の流れを可能とする逆止機能キャンセル手段を設け、前記逆止機能キャンセル手段は、ラジエータキャップを装着する際に、ラジエータキャップを回転させることにより、逆止弁の突出端部に接触しつつこの突出端部を押圧し、ラジエータキャップの装着時に逆止弁の逆止機能をキャンセルすべく、前記ラジエータキャップの下端外周且つ円周等間隔部位に外周への突出量を異ならしめて設けられる断面円弧状の壁部からなることを特徴とするラジエータのリザーブタンク連通路。
【発明の詳細な説明】
【０００１】
【発明の属する技術分野】
この発明はラジエータのリザーブタンク連通路に係り、特にラジエータへの注水時には、ラジエータキャップを取り外しても、リザーブタンクからラジエータへの冷却水の逆流を逆止弁によって防止し得るとともに、リザーブタンクの搭載位置の自由度を大とし得て、しかもラジエータキャップの装着時には、逆止機能キャンセル手段によって逆止弁の逆止機能をキャンセルして双方の流れを可能とし得るラジエータのリザーブタンク連通路に関する。
【０００２】
【従来の技術】
車両においては、ラジエータが搭載されており、このラジエータ近傍には、リザーブタンクが設置されている。そして、リザーブタンクは、ラジエータの高温時に冷却水が膨張するので、ラジエータからの冷却水のオーバフロー分を吸収し、逆に、ラジエータの低温時には冷却水が収縮するので、冷却水の不足分をラジエータへ補給する機能を有している。
【０００３】
前記ラジエータのリザーブタンク連通路としては、特開平５−９０１７９号公報に開示されるものがある。この公報に開示されるエンジン冷却系のエア抜き装置は、ラジエータタンクと加圧式リザーブタンクの間にエア抜きチューブを接続し、リザーブタンクとエンジンとの間にリザーブチューブを接続したエンジン冷却系のエア抜き装置において、ラジエータタンクの上方にラジエータタンクと連通する気水分離用サブタンクを配置し、リザーブタンクからラジエータタンクに接続するエア抜きチューブを、気水分離用サブタンクを介してラジエータタンクに接続するとともに、気水分離用サブタンクとエンジンをエア抜きチューブで接続し、エア抜きを確実に行うとともに、ラジエータチューブの温度変化による熱衝撃を防止している。
【０００４】
また、特開平６−１０８８４４号公報に開示されるものがある。この公報に開示されるラジエータタンクのキャップは、ラジエータタンクの上端に突設された給水用フィラーネックの開口に着脱自在に被着されるキャップにおいて、開口を液密に閉塞するキャップ本体と、本体の中心に突設され、フィラーネック内の弁座に下端が着脱自在に着座されるとともに、フィラーネックに突設されたオーバフローパイプに連通する連通部が外周に設けられた筒状部と、筒状部の下端開口を閉塞する通気性膜体と、を具備し、膜体はタンクの内圧が少なくとも一定値以下のときには、通水性がなく、キャップの部品点数及び可動部分を少なくしている。
【０００５】
更に、特開平８−７４５７６号公報に開示されるものがある。この公報に開示される冷却装置は、エンジン本体とラジエータとの間で水通路を通じて冷却水を循環させることにより、エンジン本体を冷却するように構成した水冷式の冷却装置であって、ラジエータよりも上方に配置されてラジエータに連通するとともに注水用の注水口を有するタンクと、エンジン本体内の水通路の最上部位とタンクとの間を連通する配管とを備え、配管にはエンジン本体内の水通路及びタンクにおける許容水位の最上位置に対して低い位置に取り回された垂れ下がり部が設けられた冷却装置において、配管の途中に、エンジン本体内の水通路を、タンクと大気とへ選択的に連通させるための選択連通手段を設け、冷却水の交換時の注水時間を短縮するとともに、ラジエータ側から注水と空気抜きとの作業を共に行っている。
【０００６】
【発明が解決しようとする課題】
ところで、従来のラジエータのリザーブタンク連通路においては、図１１及び図１２に示す如く、車両１４２の前側部位のエンジンルーム１４４において、前側部位にラジエータ１０２を配設するとともに、このラジエータ１０２の近傍且つ後方部位にリザーブタンク１４６を設置している。
【０００７】
そしてこのとき、リザーブタンク１４６のフルレベル水位は、ラジエータ１０２のラジエータキャップ１０４よりも下方位置、つまり小なる高さ位置にあり、リザーブタンク１４６への注水時等において何ら不具合はない。
【０００８】
近年、車両のエンジンルーム内に設置されるＡＢＳ（アンチ・スキッド・ブレーキ）ユニット等の部品が増加しており、リザーブタンク等の、特に搭載位置の自由度の高い部品は、レイアウトのし易い位置、例えばラジエータから離間する位置へ移動されることが多くなっている。
【０００９】
つまり、機能部品優先のレイアウトによって、図１３及び図１４に示す如く、リザーブタンク２４６がラジエータ２０２のラジエータキャップ２０４よりも高い位置に設置され、リザーブタンク２４６のフルレベル水位がラジエータキャップ２０４の高さ位置よりも大なる高さ位置となることがある。
【００１０】
そして、図１５に示す如く、ラジエータ１０２、２０２の注水口１１４、２１４をラジエータキャップ１０４、２０４にて閉塞している場合には、何ら不具合はない。
【００１１】
このとき、リザーブタンクのフルレベル水位が、ラジエータのラジエータキャップよりも下方位置、つまり小なる高さ位置にある場合には、リザーブタンク内の水位がラジエータキャップよりも高くなった際に、工場等において初期注水のためにラジエータキャップ及びリザーブタンクキャップを開放しても、図１６に示す如く、ラジエータ１０２内の冷却水がオーバフローパイプ１０８を介してリザーブタンク１４６に戻ることとなり、何ら不都合は生じない。
【００１２】
しかし、リザーブタンクのフルレベル水位がラジエータキャップの高さ位置よりも大なる高さ位置にある場合には、リザーブタンク内の水位がラジエータキャップよりも高くなった際に、ラジエータキャップ及びリザーブタンクキャップを開放すると、図１７に示す如く、水頭差のためにリザーブタンクからオーバフローパイプ２０８を介して冷却水がラジエータ２０２内に逆流し、ラジエータ２０２の注水口２１４から冷却水がオーバフローすることとなり、実用上不利であるという不都合がある。
【００１３】
【課題を解決するための手段】
そこで、この発明は、上述不都合を除去するために、車両にラジエータを配設するとともに、このラジエータのラジエータキャップの高さ位置よりもフルレベル水位が大なる高さ位置となるようにリザーブタンクを配設し、このリザーブタンクと前記ラジエータとを連絡するラジエータのリザーブタンク連通路において、このリザーブタンク連通路は前記ラジエータに形成したオーバフローパイプを有し、このオーバフローパイプの前記ラジエータ側の端部に小径部を形成し、この小径部より前記ラジエータ側に位置する傘部と、前記オーバフローパイプ内に位置する大径部と、前記傘部と前記大径部とを連絡する中央小径部とを有する逆止弁を設け、前記ラジエータキャップを取り外した状態で前記リザーブタンク側からの水圧によって前記逆止弁を押圧して前記リザーブタンクから前記ラジエータへの冷却水の逆流を防止するとともに、前記ラジエータキャップにはこのラジエータキャップの装着時に前記傘部を押圧し、前記逆止弁の逆止機能をキャンセルし双方の流れを可能とする逆止機能キャンセル手段を設けたことを特徴とする。
【００１４】
また、車両にラジエータを配設するとともに、このラジエータのラジエータキャップの高さ位置よりもフルレベル水位が大なる高さ位置となるようにリザーブタンクを配設し、このリザーブタンクと前記ラジエータとを連絡するラジエータのリザーブタンク連通路において、このリザーブタンク連通路に前記ラジエータキャップを取り外した状態で前記リザーブタンクから前記ラジエータへの冷却水の逆流を防止する逆止弁を設けるとともに、前記ラジエータキャップにはこのラジエータキャップの装着時に前記逆止弁の逆止機能をキャンセルし双方の流れを可能とする逆止機能キャンセル手段を設け、前記逆止機能キャンセル手段は、ラジエータキャップを装着する際に、ラジエータキャップを回転させることにより、逆止弁の突出端部に接触しつつこの突出端部を押圧し、ラジエータキャップの装着時に逆止弁の逆止機能をキャンセルすべく、前記ラジエータキャップの下端外周且つ円周等間隔部位に外周への突出量を異ならしめて設けられる断面円弧状の壁部からなることを特徴とする。
【００１５】
【発明の実施の形態】
上述の如く発明したことにより、ラジエータへの注水時には、ラジエータキャップを取り外しても、リザーブタンクからラジエータへの冷却水の逆流を逆止弁によって防止するとともに、リザーブタンクの搭載位置の自由度を大とし、ラジエータキャップの装着時には、逆止機能キャンセル手段によって逆止弁の逆止機能をキャンセルして双方の流れを可能としている。
【００１６】
また、ラジエータキャップの回動動作時に、断面円弧状の壁部によって逆止弁の逆止機能をキャンセルし、リザーブタンクからラジエータへ及びラジエータからリザーブタンクへの双方の流れを可能としている。
【００１７】
【実施例】
以下図面に基づいてこの発明の実施例を詳細に説明する。
【００１８】
図１〜図５はこの発明の第１実施例を示すものである。図１及び図２において、２は図示しない車両に搭載されるラジエータ、４はラジエータキャップである。
【００１９】
前記ラジエータ２のラジエータキャップ４の高さ位置よりもフルレベル水位が大なる高さ位置となるようにリザーブタンク（図示せず）を配設し、このリザーブタンクと前記ラジエータ２とを連絡するリザーブタンク連通路６を設ける。
【００２０】
このリザーブタンク連通路６は、ラジエータ２に形成したオーバフローパイプ８と、このオーバフローパイプ８とリザーブタンクとを連絡する図示しない連絡パイプとを有する。
【００２１】
また、前記リザーブタンク連通路６にラジエータ２からリザーブタンクへの流れのみを許容する逆止弁１０を設けるとともに、前記ラジエータキャップ４にはこのラジエータキャップ４の装着時に前記逆止弁１０の逆止機能をキャンセルし双方の流れを可能とする逆止機能キャンセル手段１２を設ける構成とする。
【００２２】
詳述すれば、前記逆止弁１０は、図１〜図４に示す如く、ラジエータ２の注水口１４よりも下方に形成されるオーバフローパイプ８のラジエータ２側の端部に配設される。
【００２３】
このとき、オーバフローパイプ８のラジエータ２側の端部に小径部１６を形成するとともに、小径部１６にはこの小径部１６よりも小なる径を有する逆止弁１０の後述する中央小径部１０−４を位置させる。
【００２４】
つまり、前記逆止弁１０は、ジグルバルブからなり、図５に示す如く、ラジエータ２側に位置する突出端部である傘部１０−１と、この傘部１０−１に円周等間隔に複数個、例えば４個形成されるスリット１０−２と、前記オイルフローパイプ８内に位置する大径部１０−３と、前記傘部１０−１と大径部１０−３とを連絡する中央小径部１０−４とを有する。
【００２５】
そして、前記傘部１０−１に形成されるスリット１０−２の切り込み量を、傘部１０−１の外周部位から中央小径部１０−４までとするとともに、前記大径部１０−３と中央小径部１０−４とを連絡する箇所に傾斜面部１０−５を形成し、この傾斜面部１０−５を前記オーバフローパイプ８のラジエータ２側の小径部１６に接触させ、シール部位として機能させる。
【００２６】
なお、前記傾斜面部１０−５に図示しないシール部材を接着し、シール機能を向上させる構成とすることもできる。
【００２７】
また、前記逆止機能キャンセル手段１２は、ラジエータキャップ４の下端に設けられるテーパ壁部１８からなり、ラジエータキャップ４の装着時に、逆止弁１０の突出端部である傘部１０−１にテーパ壁部１８を接触させつつこの傘部１０−１を押圧し、逆止弁１０の逆止機能をキャンセルすべく構成されるものである。
【００２８】
つまり、図１及び図２に示す如く、ラジエータキャップ４の下端に有底筒状の部材によってテーパ壁部１８を形成する。
【００２９】
次に作用について説明する。
【００３０】
前記ラジエータキャップ４を取り外した状態においては、図１及び図３に示す如く、リザーブタンク側からの水圧によって逆止弁１０が押圧され、前記オーバフローパイプ８のラジエータ２側の小径部１６に逆止弁１０の傾斜面部１０−５を接触させる。
【００３１】
この小径部１６への逆止弁１０の傾斜面部１０−５の接触により、逆止弁１０の逆止機能が発揮され、リザーブタンクからラジエータ２への冷却水の逆流が防止される。
【００３２】
また、前記ラジエータ２の注水口１４にラジエータキャップ４を取り付けた際には、図２及び図４に示す如く、前記逆止機能キャンセル手段１２のテーパ壁部１８が逆止弁１０の傘部１０−１に接触しつつこの傘部１０−１を押圧し、逆止弁１０の逆止機能をキャンセルする。
【００３３】
そして、図４に示す如く、ラジエータ２からの冷却水が逆止弁１０の傘部１０−１に形成されるスリット１０−２から、オーバフローパイプ８の小径部１６と中央小径部１０−４間を流れ、オーバフローパイプ８を経て、リザーブタンクへ流れる。
【００３４】
これにより、前記ラジエータ２への注水時に、ラジエータキャップ４を取り外しても、リザーブタンクからラジエータ２への冷却水の逆流を逆止弁１０によって確実に防止することができる。
【００３５】
また、前記リザーブタンク連通路６に逆止弁１０を設けることにより、リザーブタンクの搭載位置の自由度を大とすることができ、実用上有利である。
【００３６】
更に、前記ラジエータ２にラジエータキャップ４を装着した際には、前記逆止機能キャンセル手段１２によって逆止弁１０の逆止機能をキャンセルすることができ、双方の流れを可能とし、通常使用時の不具合はないものである。
【００３７】
更にまた、前記ラジエータ２にラジエータキャップ４を装着時に、前記逆止機能キャンセル手段１２のテーパ壁部１８が逆止弁１０の傘部１０−１に接触しつつこの傘部１０−１を押圧することにより、逆止弁１０の逆止機能をキャンセルすることができ、リザーブタンクからラジエータ２へ及びラジエータ２からリザーブタンクへの双方の流れを可能とし、通常使用時には何ら不具合はない。
【００３８】
図６〜図９はこの発明の第２実施例を示すものである。この第２実施例において、上述第１実施例と同一機能を果たす箇所には同一符号を付して説明する。
【００３９】
この第２実施例の特徴とするところは、前記逆止機能キャンセル手段１２を、ラジエータキャップ４の下端外周且つ円周等間隔部位に外周への突出量を異ならしめて設けられる断面円弧状の壁部２２により構成した点にある。
【００４０】
すなわち、図６〜図９に示す如く、ラジエータキャップ４の下端外周且つ円周等間隔部位に、外周への突出量を異ならしめて例えば２個の断面円弧状の壁部２２−１、２２−２を設ける。
【００４１】
そして、前記ラジエータキャップ４を装着する際に、ラジエータキャップ４を回転させることにより、逆止弁１０の突出端部である傘部１０−１にいずれか一方の壁部２２−１、２２−２を接触させつつ傘部１０−１を押圧し、ラジエータキャップ４の装着時に逆止弁１０の逆止機能をキャンセルするものである。
【００４２】
また、ラジエータキャップ４を取り外した際には、リザーブタンク側からの水圧によって逆止弁１０が押圧され、逆止弁１０の逆止機能が発揮され、リザーブタンクからラジエータ２への冷却水の逆流が防止される。
【００４３】
さすれば、前記ラジエータ２への注水時に、ラジエータキャップ４を取り外しても、上述第１実施例のものと同様に、リザーブタンクからラジエータ２への冷却水の逆流を逆止弁１０によって確実に防止することができる。
【００４４】
また、前記リザーブタンク連通路６に逆止弁１０を設けることにより、上述第１実施例のものと同様に、リザーブタンクの搭載位置の自由度を大とすることができ、実用上有利である。
【００４５】
更に、前記ラジエータ２にラジエータキャップ４を装着した際には、前記逆止機能キャンセル手段１２によって逆止弁１０の逆止機能をキャンセルすることができ、上述第１実施例のものと同様に、双方の流れを可能とし、通常使用時の不具合はないものである。
【００４６】
更にまた、前記ラジエータキャップ４の回動動作時に、断面円弧状の壁部２２−１、２２−２によって逆止弁１０の逆止機能をキャンセルすることができ、リザーブタンクからラジエータ２へ及びラジエータ２からリザーブタンクへの双方の流れを可能とし、通常使用時には何ら不具合はない。
【００４７】
なお、この発明は上述第１及び第２実施例に限定されるものではなく、種々の応用改変が可能である。
【００４８】
例えば、この発明の第１及び第２実施例においては、逆止弁１０の逆止機能を発揮させる際に、リザーブタンク側からの水圧を利用する構成としたが、図１０に示す如く、オーバフローパイプ８内に逆止弁１０をラジエータ２側、つまり逆止弁１０を閉鎖させる方向に付勢するスプリング３２を設け、スプリング３２の付勢力を利用して逆止弁１０の逆止機能を発揮させ、逆止弁１０のシール性を向上させる構成とすることもできる。
【００４９】
【発明の効果】
以上詳細に説明した如くこの発明によれば、車両にラジエータを配設するとともに、ラジエータのラジエータキャップの高さ位置よりもフルレベル水位が大なる高さ位置となるようにリザーブタンクを配設し、リザーブタンクとラジエータとを連絡するラジエータのリザーブタンク連通路において、リザーブタンク連通路はラジエータに形成したオーバフローパイプを有し、オーバフローパイプのラジエータ側の端部に小径部を形成し、小径部よりラジエータ側に位置する傘部と、オーバフローパイプ内に位置する大径部と、傘部と大径部とを連絡する中央小径部とを有する逆止弁を設け、ラジエータキャップを取り外した状態でリザーブタンク側からの水圧によって逆止弁を押圧してリザーブタンクからラジエータへの冷却水の逆流を防止するとともに、ラジエータキャップにはこのラジエータキャップの装着時に傘部を押圧し、逆止弁の逆止機能をキャンセルし双方の流れを可能とする逆止機能キャンセル手段を設けたので、ラジエータへの注水時に、ラジエータキャップを取り外しても、リザーブタンクからラジエータへの冷却水の逆流を逆止弁によって確実に防止することができる。また、リザーブタンク連通路に逆止弁を設けることにより、リザーブタンクの搭載位置の自由度を大とすることができ、実用上有利である。更に、ラジエータにラジエータキャップを装着した際には、逆止機能キャンセル手段によって逆止弁の逆止機能をキャンセルすることができ、双方の流れを可能とし、通常使用時の不具合はないものである。
【００５０】
また、車両にラジエータを配設するとともに、ラジエータのラジエータキャップの高さ位置よりもフルレベル水位が大なる高さ位置となるようにリザーブタンクを配設し、リザーブタンクとラジエータとを連絡するラジエータのリザーブタンク連通路において、リザーブタンク連通路に前記ラジエータキャップを取り外した状態でリザーブタンクからラジエータへの冷却水の逆流を防止する逆止弁を設けるとともに、ラジエータキャップにはこのラジエータキャップの装着時に逆止弁の逆止機能をキャンセルし双方の流れを可能とする逆止機能キャンセル手段を設け、逆止機能キャンセル手段は、ラジエータキャップを装着する際に、ラジエータキャップを回転させることにより、逆止弁の突出端部に接触しつつこの突出端部を押圧し、ラジエータキャップの装着時に逆止弁の逆止機能をキャンセルすべく、ラジエータキャップの下端外周且つ円周等間隔部位に外周への突出量を異ならしめて設けられる断面円弧状の壁部からなることにより、ラジエータへの注水時に、ラジエータキャップを取り外しても、リザーブタンクからラジエータへの冷却水の逆流を逆止弁によって確実に防止することができる。また、リザーブタンク連通路に逆止弁を設けることにより、リザーブタンクの搭載位置の自由度を大とすることができ、実用上有利である。更に、ラジエータにラジエータキャップを装着した際には、逆止機能キャンセル手段によって逆止弁の逆止機能をキャンセルすることができ、双方の流れを可能とし、通常使用時の不具合はないものである。更にまた、ラジエータキャップの回動動作時に、断面円弧状の壁部によって逆止弁の逆止機能をキャンセルすることができ、リザーブタンクからラジエータへ及びラジエータからリザーブタンクへの双方の流れを可能とし、通常使用時には何ら不具合はない。
【図面の簡単な説明】
【図１】この発明の第１実施例を示すラジエータキャップを取り外した状態のラジエータの概略断面図である。
【図２】ラジエータキャップ装着時のラジエータの概略断面図である。
【図３】ラジエータキャップを取り外した状態の逆止弁の概略拡大断面図である。
【図４】ラジエータキャップ装着時の逆止弁の概略拡大断面図である。
【図５】逆止弁の斜視図である。
【図６】この発明の第２実施例を示すラジエータキャップを取り外した状態のラジエータキャップの概略平面図である。
【図７】ラジエータキャップを取り外した状態のラジエータの概略断面図である。
【図８】ラジエータキャップ装着時のラジエータキャップの概略平面図である。
【図９】ラジエータキャップ装着時のラジエータの概略断面図である。
【図１０】この発明の他の実施例を示すラジエータキャップを取り外した状態のラジエータ及び逆止弁の概略拡大断面図である。
【図１１】この発明の第１の従来技術を示す車両の概略平面図である。
【図１２】車両の概略左側面図である。
【図１３】この発明の第２の従来技術を示す車両の概略平面図である。
【図１４】車両の概略左側面図である。
【図１５】ラジエータキャップ装着時のラジエータの概略断面図である。
【図１６】この発明の第１の従来技術におけるラジエータキャップを取り外した状態のラジエータの概略断面図である。
【図１７】この発明の第２の従来技術におけるラジエータキャップを取り外した状態のラジエータの概略断面図である。
【符号の説明】
２  ラジエータ
４  ラジエータキャップ
６  リザーブタンク連通路
８  オーバフローパイプ
１０  逆止弁
１０−１  傘部
１０−２  スリット
１０−３  大径部
１０−４  中央小径部
１０−５  傾斜面部
１２  逆止機能キャンセル手段
１４  注水口
１６  小径部
１８  テーパ壁部
【図１】
0003584670.tif 000002
【図２】
0003584670.tif 000003
【図３】
0003584670.tif 000004
【図４】
0003584670.tif 000005
【図５】
0003584670.tif 000006
【図６】
0003584670.tif 000007
【図７】
0003584670.tif 000008
【図８】
0003584670.tif 000009
【図９】
0003584670.tif 000010
【図１０】
0003584670.tif 000011
【図１１】
0003584670.tif 000012
【図１２】
0003584670.tif 000013
【図１３】
0003584670.tif 000014
【図１４】
0003584670.tif 000015
【図１５】
0003584670.tif 000016
【図１６】
0003584670.tif 000017
【図１７】
0003584670.tif 000018